(57)【要約】【課題】撮影画像の見栄えを劣化させることなく、被写体に関する情報を扱うことが可能な撮像装置を提供する。【解決手段】撮像装置は、不可視光線を光電変換し可視光線を透過する画素が二次元状に配列された第１光電変換層と、第１光電変換層と同一光路上に積層されて配置され、第１光電変換層を透過した可視光線を光電変換する画素が二次元状に配列された第２光電変換層とを有する撮像素子と、不可視光線を反射する所定のパターンを有し被写体の表面に予め設置されたマーカーを、第１光電変換信号からパターンを認識することにより検出するマーカー検出手段と、マーカー検出手段により検出されたマーカーのパターンに埋め込まれた所定の情報を読み出す読出手段と、第２光電変換層から出力される第２光電変換信号に基づいて作成された画像データと、読出手段により読み出された所定の情報とを関連付けて、所定の記憶媒体に記憶する記憶手段と、を備える。【選択図】図１
2018093539.tif 000002
【特許請求の範囲】
【請求項１】
光学系を透過した可視光の被写体像を光電変換して電荷を生成する第１光電変換部と、前記第１光電変換部を透過した赤外光の前記被写体像のコントラストを検出するために使用される信号を生成する、前記第１光電変換部を透過した赤外光の前記被写体像を光電変換して電荷を生成する第２光電変換部とを有する撮像素子と、
前記第２光電変換部で生成された電荷に基づく信号に基づいて検出された、赤外光の前記被写体像のコントラストに基づいて前記光学系による前記被写体像が前記撮像素子に合焦するよう前記光学系の位置を制御する制御部と、
前記第１光電変換部で生成された電荷に基づく信号に基づいて、画像データを生成する生成部と、
を備える撮像装置。
【請求項２】
請求項１に記載の撮像装置において、
前記制御部は、所定のパターンに基づいて検出された赤外光の前記被写体像のコントラストに基づいて前記光学系による前記被写体像が前記撮像素子に合焦するよう前記光学系の位置を制御する撮像装置。
【請求項３】
請求項１に記載の撮像装置において、
前記制御部は、所定のパターンで反射された赤外光の前記被写体像のコントラストに基づいて前記光学系による前記被写体像が前記撮像素子に合焦するよう前記光学系の位置を制御する撮像装置。
【請求項４】
請求項３に記載の撮像装置において、
前記赤外光を照射する照射部を備える撮像装置。
【請求項５】
請求項２から４のいずれか１項に記載の撮像装置において、
検出された所定のパターンに基づいて、前記所定のパターンを有する被写体に関する情報を表示する表示部を備える撮像装置。
【請求項６】
請求項５に記載の撮像装置において、
前記表示部は、前記生成部で生成された画像データに基づく画像と、前記情報とを重畳して表示する撮像装置。
【請求項７】
請求項５または６に記載の撮像装置において、
前記情報と前記画像データとを関連付けて記録する記録部を備える撮像装置。
【請求項８】
光学系を透過した可視光の被写体像を光電変換して電荷を生成する第１光電変換部と、
前記第１光電変換部を透過した赤外光の前記被写体像のコントラストを検出するために使用される信号を生成する、前記第１光電変換部を透過した赤外光の前記被写体像を光電変換して電荷を生成する第２光電変換部と、
を有する撮像素子。
【発明の詳細な説明】
【技術分野】
【０００１】
本発明は、撮像装置および撮像素子に関する。
【背景技術】
【０００２】
従来、１次元や２次元の画像パターンに変換した任意の情報を印刷物等に配置し、カメラ等により撮影したその画像パターンから情報を復元する技術が知られている。例えば特許文献１には、いわゆる二次元バーコードを含む画像から基となる情報を復号する二次元バーコード読取装置が記載されている。
【先行技術文献】
【特許文献】
【０００３】
【特許文献１】特開２０１１−１７５３１４号公報
【発明の概要】
【発明が解決しようとする課題】
【０００４】
従来技術を写真撮影に応用し、例えば被写体に当該被写体に関する情報を埋め込んだ画像パターンを付加すると、撮影画像には被写体と共にその画像パターンが写り込んでしまい、撮影画像の見栄えが悪くなるという問題があった。
【課題を解決するための手段】
【０００５】
本発明の第１の態様による撮像装置は、光学系を透過した可視光の被写体像を光電変換して電荷を生成する第１光電変換部と、前記第１光電変換部を透過した赤外光の前記被写体像のコントラストを検出するために使用される信号を生成する、前記第１光電変換部を透過した赤外光の前記被写体像を光電変換して電荷を生成する第２光電変換部とを有する撮像素子と、前記第２光電変換部で生成された電荷に基づく信号に基づいて検出された、赤外光の前記被写体像のコントラストに基づいて前記光学系による前記被写体像が前記撮像素子に合焦するよう前記光学系の位置を制御する制御部と、前記第１光電変換部で生成された電荷に基づく信号に基づいて、画像データを生成する生成部と、を備える。
本発明の第２の態様による撮像素子は、光学系を透過した可視光の被写体像を光電変換して電荷を生成する第１光電変換部と、前記第１光電変換部を透過した赤外光の前記被写体像のコントラストを検出するために使用される信号を生成する、前記第１光電変換部を透過した赤外光の前記被写体像を光電変換して電荷を生成する第２光電変換部と、を有する。
【発明の効果】
【０００６】
本発明によれば、撮影画像の見栄えを劣化させることなく、被写体に関する情報を取得することができる。
【図面の簡単な説明】
【０００７】
【図１】本発明の一実施の形態によるデジタルカメラ１の構成を例示する図である。
【図２】本実施形態に係る撮像素子２１の概要を示す図である。
【図３】上部光電変換層３１および下部光電変換層３２の画素配置を示す図である。
【図４】撮像素子２１の断面の一部を例示する図である。
【図５】マーカー表面に形成されるパターンの一例を示す図である。
【図６】マーカー８０の利用例を模式的に示す図である。
【図７】制御部１１により実行される撮影処理のフローチャートである。
【発明を実施するための形態】
【０００８】
（第１の実施の形態）
図１は、本発明の一実施の形態によるデジタルカメラ１の構成を例示する図である。デジタルカメラ１は、撮影光学系１０、制御部１１、撮像部１２、操作部１３、画像処理部１４、液晶モニタ１５、およびバッファメモリ１６を有する。また、デジタルカメラ１には、メモリカード１７が装着されている。
【０００９】
撮影光学系１０は、複数のレンズにより構成され、撮像素子２１（後述）の撮像面に被写体像を結像させる。撮影光学系１０を構成する複数のレンズには、ピント位置を調節するために光軸方向に駆動されるフォーカスレンズが含まれる。フォーカスレンズは、不図示のアクチュエータ（例えば超音波モータなど）により光軸方向に駆動される。
【００１０】
制御部１１は、マイクロプロセッサおよびその周辺回路から構成され、不図示のＲＯＭに格納された制御プログラムを実行することにより、デジタルカメラ１の各種の制御を行う。制御部１１は、焦点調節部１１ａ、マーカー検出部１１ｂ、情報読出部１１ｃ、および記憶部１１ｄを機能的に有する。これらの各機能部は、上記の制御プログラムによりソフトウェア的に実装される。なお、これらの各機能部を電子回路により構成することも可能である。
【００１１】
焦点調節部１１ａは、撮像素子２１（後述）により出力された画像信号に基づき、撮影光学系１０の焦点調節を行う。マーカー検出部１１ｂは、撮影光学系１０により結像された被写体像の赤外光成分に基づき、後述するマーカーを検出する。情報読出部１１ｃは、マーカー検出部１１ｂにより検出されたマーカーから、後述するマーカー情報を読み出す。記憶部１１ｄは、撮影画像データと、情報読出部１１ｃにより読み出されたマーカー情報とを関連付けてメモリカード１７に記憶する。
【００１２】
撮像部１２は、撮像素子２１、増幅回路２２、およびＡＤ変換回路２３を有する。撮像素子２１は、複数の画素から構成され、不図示の撮影光学系を介して被写体からの光束を受光し、光電変換を行ってアナログ画像信号を出力する。増幅回路２２は、撮像素子２１から出力されるアナログ画像信号を所定の増幅率（ゲイン）で増幅してＡＤ変換回路２３に出力する。ＡＤ変換回路２３は、アナログ画像信号をＡＤ変換してデジタル画像信号を出力する。制御部１１は、撮像部１２から出力されるデジタル画像信号をバッファメモリ１６に格納する。
【００１３】
バッファメモリ１６に格納されたデジタル画像信号は、画像処理部１４において各種の画像処理が行われ、液晶モニタ１５に表示されたり、メモリカード１７に格納されたりする。メモリカード１７は、不揮発性のフラッシュメモリなどから構成され、デジタルカメラ１に対して着脱可能である。
【００１４】
操作部１３は、レリーズボタンやモード切り替えボタン、電源ボタンなど各種の操作ボタンから構成され、撮影者により操作される。操作部１３は、撮影者による上記の各操作ボタンの操作に応じた操作信号を制御部１１へ出力する。画像処理部１４は、ＡＳＩＣ等により構成されている。画像処理部１４は、撮像部１２によって撮像された画像データに対して、補間、圧縮、ホワイトバランスなどの各種の画像処理を行う。
【００１５】
（撮像素子２１の説明）
図２は、本実施形態に係る撮像素子２１の概要を示す図である。なお、図２では、撮像素子２１の光入射側を上側とした状態を示している。このため、以下の説明では、撮像素子２１の光入射側の方向を「上方」または「上」とし、光入射側に対して反対側の方向を「下方」または「下」とする。撮像素子２１は、上部光電変換層３１と下部光電変換層３２とを有する。上部光電変換層３１と下部光電変換層３２とは、同一光路上に積層配置されている。上部光電変換層３１は、所定の波長域（詳しくは後述する）の光を吸収（光電変換）する有機光電膜で構成される。上部光電変換層３１で吸収（光電変換）されなかった波長域の光は、上部光電変換層３１を透過して下部光電変換層３２に入射し、下部光電変換層３２で光電変換される。下部光電変換層３２は、フォトダイオードにより光電変換を行う。
【００１６】
上部光電変換層３１は不可視光（例えば赤外光）を光電変換する。下部光電変換層３２は可視光を光電変換する。上部光電変換層３１と下部光電変換層３２とは同一の半導体基板上に形成され、各画素位置は一対一に対応する。たとえば上部光電変換層３１の１行１列目の画素は、下部光電変換層３２の１行１列目の画素に対応する。
【００１７】
図３（ａ）は、上部光電変換層３１の画素配置を示す図である。図３（ａ）において、水平方向をｘ軸、垂直方向をｙ軸とし、画素Ｐの座標をＰ（ｘ，ｙ）と表記する。図３（ａ）に示す上部光電変換層３１の例では、各画素を、不可視光（赤外光）を光電変換する有機光電膜としている。そして、各画素で受光されない光、すなわち可視光は透過される。たとえば画素Ｐ（１，１）は赤外光（ＩＲ）を光電変換して可視光を透過する。
【００１８】
図３（ｂ）は、下部光電変換層３２の画素配置を示す図である。なお、図３（ｂ）に示す各画素位置は、図３（ａ）と同じである。たとえば下部光電変換層３２の画素Ｐ（１，１）は、上部光電変換層３１の画素Ｐ（１，１）に対応する。図３（ｂ）において、下部光電変換層３２には、赤（Ｒ）、緑（Ｇ）、青（Ｂ）の３色のカラーフィルターがいわゆるベイヤ配列で設けられている。上部光電変換層３１を透過する可視光（すなわち上部光電変換層３１の有機光電膜で吸収されて光電変換される不可視光以外の波長域の光）を光電変換する。従って、下部光電変換層３２は、奇数行の画素ではＧとＢの色成分の画像信号、偶数行の各画素ではＲとＧの色成分の画像信号を出力する。たとえば画素Ｐ（１，１）ではＧ成分の画像信号が得られる。同様に、画素Ｐ（２，１）ではＢ成分の画像信号、画素Ｐ（１，２）ではＲ成分の画像信号がそれぞれ得られる。
【００１９】
このように、本実施形態に係る撮像素子２１では、有機光電膜で構成される上部光電変換層３１が下部光電変換層３２に対して赤外フィルターの役割を果たす。本実施形態に係る撮像素子２１では、上部光電変換層３１からは赤外光による被写体の画像（赤外光画像）を取得することができ、下部光電変換層３２からは可視光による被写体の画像（Ｒ、Ｇ、Ｂの３色からなるＲＧＢ画像）を取得することができる。以下の説明において、上部光電変換層３１から出力される画像信号を赤外光信号と呼ぶ。また、下部光電変換層３２から出力される画像信号を可視光信号と呼ぶ。
【００２０】
図４は、撮像素子２１の断面の一部を例示する図である。図４に示すように、撮像素子２１では、シリコン基板上に形成された下部光電変換層３２と、有機光電膜を用いた上部光電変換層３１とが配線層４０を介して積層されている。上部光電変換層３１の上方には、１つの画素に対して１つのマイクロレンズＭＬが形成されている。上部光電変換層３１と下部光電変換層３２との間には、１つの画素に対して１つのカラーフィルターＣＦが形成されている。たとえば、上部光電変換層３１において、画素Ｐ（１，１）の光電変換部を構成する有機光電膜による受光部ＰＣ（１，１）は、マイクロレンズＭＬ（１，１）から入射された被写体光における赤外光を光電変換して可視光を透過する。受光部ＰＣ（１，１）を透過した可視光のうち、Ｇ成分はカラーフィルターＣＦ（１，１）を透過し、Ｒ成分、Ｂ成分はカラーフィルターＣＦ（１，１）により遮蔽される。下部光電変換層３２において、画素Ｐ（１，１）を構成するフォトダイオードＰＤ（１，１）は、カラーフィルターＣＦ（１，１）を透過したＧの光を受光して光電変換する。
【００２１】
（自動焦点調節処理の説明）
撮影者が所定の焦点調節操作（例えばレリーズボタンを半押しする操作）を行うと、制御部１１は、いわゆるコントラスト方式の自動焦点調節処理を実行する。コントラスト方式の自動焦点調節処理を簡単に説明すると、フォーカスレンズを駆動させながら周期的に被写体像を撮像し、フォーカスレンズの位置ごとの被写体像のコントラスト量を調べ、コントラスト量が極大となるフォーカスレンズの位置を合焦位置として特定する方式である。
【００２２】
制御部１１が有する焦点調節部１１ａは、可視光信号、すなわち可視光による被写体像に基づいて、コントラスト方式の自動焦点調節処理を行うことができる。焦点調節部１１ａは、赤外光信号、すなわち赤外光による被写体像に基づいて、コントラスト方式の自動焦点調節処理を行うこともできる。制御部１１は、例えば被写体の照度や後述するマーカーの検出結果等に応じて可視光信号と赤外光信号の一方を選択し、選択した方の画像信号に基づく自動焦点調節処理を焦点調節部１１ａに実行させる。例えば、被写体の照度が低い場合や、後述するマーカーが検出された場合には、赤外光の方が焦点検出に有利であるため、赤外光信号に基づく自動焦点調節処理を実行させる。他方、被写体の照度が高い場合や、後述するマーカーが検出されなかった場合には、可視光信号に基づく自動焦点調節処理を実行させる。
【００２３】
（マーカーの説明）
本実施形態のデジタルカメラ１は、マーカーから情報を読み出すことができる。マーカーは、表面に所定のパターンが形成されたものであり、例えばシールとして被写体表面に貼り付けられたり、被写体表面に印刷されたりする。このパターンは、可視光を透過し、赤外光を反射するように形成される。つまり、このマーカーを下部光電変換層３２により撮像しても、可視光信号に上記パターンは現れない。一方、上部光電変換層３１で撮像すると、赤外光信号に上記パターンが現れる。
【００２４】
図５は、マーカー表面に形成されるパターンの一例を示す図である。マーカー８０の表面にはパターン８１が形成される。パターン８１は、可視光を透過し赤外光を一定の反射率で反射する素材で形成されている。
【００２５】
パターン８１には２つの役割がある。まず、パターン８１には、このパターンが付された被写体（例えば人物、建物など）に関する情報であるマーカー情報が埋め込まれている。具体的には、当該被写体の名称等を表す文字列と、当該被写体に関するＵＲＬ（Uniform Resource Locator）文字列とがエンコードされている。具体的には、例えば周知の二次元バーコードのように、マーカー情報のビットパターンを二次元状に配列されたドットパターンで表現する。情報読出部１１ｃは、マーカー検出部１１ｂにより検出されたパターン８１をデコードし、マーカー情報を読み出す。
【００２６】
次に、パターン８１は、焦点検出に有利な形状を有している。具体的には、コントラストが高い、明瞭なエッジを有する、周期性がない、等の特徴を有する形状である。このような特徴を有する形状のパターン８１は、ピントが大きくずれている場合であっても一定の信頼性でコントラストを検出することができる、偽合焦が生じにくい等、焦点検出に有利な特性を有する。
【００２７】
以上のように、マーカー８０が有するパターン８１は、被写体に関する情報であるマーカー情報を保持する役割と、焦点調節を補助する役割とを兼ね備える。デジタルカメラ１を利用する際、ピント合わせの対象としたい人物の着衣や装身具、建物の表面などには、予めマーカー８０が形成される。マーカー検出部１１ｂは、赤外光信号から、例えばパターンマッチング等の方法により上記のパターン８１を認識することで、マーカー８０を検出する。焦点調節部１１ａは、検出されたマーカー８０から、例えば被写体の位置を特定したり、焦点検出領域を設定したり、焦点評価値（コントラスト値）を演算したりする。
【００２８】
図６は、マーカー８０の利用例を模式的に示す図である。図６（ａ）が撮影により下部光電変換層３２から出力された可視光信号の例であり、図６（ｂ）が同じ撮影により上部光電変換層３１から出力された赤外光信号の例である。図６（ａ）の可視光信号８３には、人物８４と広告８５とが被写体として含まれる。図６（ｂ）の赤外光信号８６には、同一の人物８４と広告８５とが被写体として含まれる。赤外光信号８６には更に、人物８４の着衣に付されたマーカー８０ａと、広告８５の表面に付されたマーカー８０ｂとが含まれている。
【００２９】
撮影の際、マーカー検出部１１ｂは、赤外光信号８６からマーカー８０ａ、８０ｂを検出する。情報読出部１１ｃは、検出されたマーカー８０ａ、８０ｂの各々からマーカー情報を読み出す。制御部１１は、可視光信号８３に種々の画像処理を施してデジタル画像データを作成する。記憶部１１ｄは、作成されたデジタル画像データと、マーカー８０ａから読み出されたマーカー情報８２ａと、マーカー８０ｂから読み出されたマーカー情報８２ｂとを関連付けて、メモリカード１７に記憶する。
【００３０】
デジタルカメラ１を再生モードに設定すると、制御部１１は、メモリカード１７に記憶されている画像データを液晶モニタ１５に再生する。図６（ｃ）は、画像データの再生中における液晶モニタ１５の表示画面の一例を示す図である。画像データを再生する際、液晶モニタ１５には、画像データに関連付けられたマーカー情報８２ａ、８２ｂが、画像データに重畳して表示される。マーカー情報８２ａは、マーカー８０ａが検出された位置に吹き出し等の形態で重畳表示される。同様に、マーカー情報８２ｂは、マーカー８０ｂが検出された位置に重畳表示される。
【００３１】
図７は、制御部１１により実行される撮影処理のフローチャートである。図７に示す撮影処理は、制御部１１が実行する制御プログラムに含まれる。制御部１１は、撮影者により所定の撮影操作（例えば不図示のレリーズスイッチの全押し操作）が為されると、図７に示す撮影処理の実行を開始する。
【００３２】
まずステップＳ１００で、撮像素子２１が被写体像を撮像する。これにより、上部光電変換層３１からは可視光信号が出力されると共に、下部光電変換層３２からは赤外光信号が出力される。ステップＳ１１０において、制御部１１は、ステップＳ１００の撮像により出力された可視光信号に種々の画像処理を施し、デジタル画像データを作成する。ステップＳ１２０でマーカー検出部１１ｂは、ステップＳ１００の撮像により出力された赤外光信号からマーカー８０の検出を試みる。そして、ステップＳ１３０で制御部１１は、ステップＳ１２０においてマーカー検出部１１ｂが少なくとも１つのマーカー８０の検出に成功したか否かを判定する。
【００３３】
ステップＳ１３０においてマーカー８０が１つも検出されていなかった場合、制御部１１は処理をステップＳ１６０に進める。ステップＳ１６０で記憶部１１ｄは、ステップＳ１１０で作成された画像データをメモリカード１７に記憶する。
【００３４】
他方、ステップＳ１３０においてマーカー８０が少なくとも１つ検出されていた場合、制御部１１は処理をステップＳ１４０に進める。ステップＳ１４０において情報読出部１１ｃは、ステップＳ１２０で検出された１つ乃至複数のマーカー８０から、当該マーカー８０が有するパターンにより表されるマーカー情報を読み出す。ステップＳ１５０において記憶部１１ｄは、ステップＳ１１０で作成された画像データと、ステップＳ１５０において読み出されたマーカー情報とを関連付けてメモリカード１７に記憶する。例えば、画像ファイルのＥＸＩＦ（登録商標）ヘッダにマーカー情報を格納する。
【００３５】
液晶モニタ１５は、メモリカード１７に記憶されている画像データを表示する際、当該画像データに関連付けられたマーカー情報が存在する場合には、画像データに重畳してそのマーカー情報を表示する。１つの画像データに対し、複数のマーカー情報が存在する場合には、全てのマーカー情報を表示する。
【００３６】
上述した第１の実施の形態によるデジタルカメラによれば、次の作用効果が得られる。
（１）撮像素子２１は、上部光電変換層３１（第１光電変換層）と、上部光電変換層３１と同一光路上に積層されて配置された下部光電変換層３２（第２光電変換層）とを有する。上部光電変換層３１には、不可視光線を光電変換し可視光線を透過する画素が二次元状に配列される。下部光電変換層３２には、上部光電変換層３１を透過した可視光線を光電変換する画素が二次元状に配列される。マーカー検出部１１ｂは、不可視光線を反射するパターン８１を有し被写体の表面に予め設置されたマーカー８０を、上部光電変換層３１により出力される赤外光信号（第１光電変換信号）からパターン８１を認識することにより検出する。情報読出部１１ｃは、マーカー検出部１１ｂにより検出されたマーカー８０のパターン８１から、当該パターン８１に埋め込まれたマーカー情報を読み出す。記憶部１１ｄは、下部光電変換層３２から出力される可視光信号（第２光電変換信号）に基づいて作成された画像データと、情報読出部１１ｃにより読み出されたマーカー情報とを関連付けて、メモリカード１７に記憶する。このようにしたので、撮影画像の見栄えを劣化させることなく、被写体に関する情報を取得することができる。また、撮像素子２１には、可視光を撮像する層と赤外光を撮像する層とが積層されているので、可視光を撮像する素子と赤外光を撮像する素子とを別々に設ける必要がなく、デジタルカメラ１を小型化することができる。
【００３７】
（２）液晶モニタ１５には、画像データが表示されると共に、マーカー情報が画像データに重畳して表示される。マーカー情報は、マーカー８０が設置された被写体に関する情報である。このようにしたので、被写体に関する付加的な情報を、撮影者にわかりやすく提示することができる。
【００３８】
次のような変形も本発明の範囲内であり、変形例の一つ、もしくは複数を上述の実施形態と組み合わせることも可能である。
【００３９】
（変形例１）
マーカー８０の設置先として、人物の着衣や看板広告を例に挙げて説明したが、マーカー８０はこれら以外の物に設置することも可能である。例えばコンタクトレンズの表面にマーカー８０を形成しておけば、そのコンタクトレンズを身につけた人物の顔に容易にピントを合わせることができる。マーカー８０は、可視光を透過する素材で形成されているので、コンタクトレンズの機能を阻害しない。
【００４０】
（変形例２）
第１の実施の形態では、いわゆるコントラスト方式の自動焦点調節制御を行っていたが、これ以外の方式の自動焦点調節制御を採用してもよい。例えば、撮影光学系１０の一対の瞳領域をそれぞれ通過した一対の光束の位相差から焦点調節状態を検出する、いわゆる位相差検出方式の自動焦点調節制御を、可視光や赤外光を用いて実行してもよい。
【００４１】
（変形例３）
デジタルカメラ１に赤外光の照射装置を設け、マーカー検出部１１ｂがマーカーを検出する際、被写体に赤外光を照射するようにしてもよい。このようにすることで、マーカーの検出精度を向上させることができる。
【００４２】
（変形例４）
マーカー８０の形状やマーカー情報の内容、パターン８１にマーカー情報を埋め込む方式等は、上述の実施形態で例示したものに限定されず、どのようなものであってもよい。
【００４３】
（変形例５）
上述した実施の形態では、赤外光を光電変換し可視光を透過する上部光電変換層３１と、可視光を光電変換する下部光電変換層３２とを積層した撮像素子２１を用いるデジタルカメラ１について説明した。積層順序を逆にしてもよい。例えば、上層に可視光を光電変換し赤外光を透過する層を設け、下層に赤外光を光電変換する撮像素子を用いてもよい。
【００４４】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００４５】
１…デジタルカメラ、１１…制御部、１１ａ…焦点調節部、１１ｂ…マーカー検出部、１１ｃ…情報読出部、１１ｄ…記憶部、２１…撮像素子、３１…上部光電変換層、３２…下部光電変換層
【図１】
2018093539.tif 000003
【図２】
2018093539.tif 000004
【図３】
2018093539.tif 000005
【図４】
2018093539.tif 000006
【図５】
2018093539.tif 000007
【図６】
2018093539.tif 000008
【図７】
2018093539.tif 000009